(57)【特許請求の範囲】
【請求項１】
遊技機に併設され、前面に表示操作部を備えた台間機であって、
前記表示操作部を前記前面に対して５°〜６０°の角度で傾斜させて支持すると共に、前記表示操作部を傾斜に沿って前記前面から離れる方向にスライド移動させるスライド支持機構を備え、
前記表示操作部は、スライド移動前の基準位置で当該台間機本体の横幅内に納まっていることを特徴とする台間機。
【請求項２】
前記表示操作部を、前記基準位置およびスライド移動後の移動位置のそれぞれに保持する保持機構を、備えることを特徴とする請求項１に記載の台間機。
【請求項３】
前記スライド支持機構は、
前記前面における前記表示操作部を配置する位置に設けられた、前記前面に対して５°〜６０°の角度で傾斜した傾斜板と、
前記傾斜板に対する前記表示操作部のスライド移動を案内するガイド部と、
前記傾斜板に形成された移動方向に延びる開口を介して、前記傾斜板の裏側より前記表示操作部を支持する支持部材と、を有することを特徴とする請求項２に記載の台間機。
【請求項４】
前記保持機構は、
前記傾斜板の裏面に、前記基準位置および前記移動位置それぞれに対応して形成された凹部と、
前記支持部材に設けられ、前記表示操作部側へと常時付勢されている係合部とを、有し、
前記表示操作部のスライド移動に伴って前記凹部の何れか一方に前記係合部が係合して、前記表示操作部を保持することを特徴とする請求項３に記載の台間機。
【請求項５】
前記保持機構は、
一端部が前記傾斜板に支持されると共に、他端部が前記支持部材あるいは前記表示操作部に支持されたスナップアクションバネを有し、
前記スナップアクションバネは、前記表示操作部が前記基準位置および前記移動位置の中間にある状態での角度が、前記表示操作部が前記基準位置および前記移動位置の各位置にある状態での角度よりも狭くなるように配置されていることを特徴とする請求項３に記載の台間機。
【請求項６】
前記保持機構は、
前記表示操作部を前記基準位置に常時付勢する第１付勢部材と、
前記表示操作部の裏面に沿って配設され、前記移動位置への移動方向下流側が回動可能に軸支された係止片と、
前記係止片を前記表示操作部の裏面から離れる方向に常時付勢する第２付勢部材と、を有し、
前記表示操作部が前記移動位置に到達すると、前記係止片が前記第２付勢部材の付勢力にて回動し、前記係止片における前記移動位置への移動方向上流側の端面が、前記傾斜板における前記移動位置への移動方向下流側の端面と接触して、前記表示操作部を前記移動位置に保持することを特徴とする請求項３に記載の台間機。
【発明の詳細な説明】
【技術分野】
【０００１】
本発明は、遊技機に対応する台間機に関する。
【背景技術】
【０００２】
近年、パチンコ機やパチスロ機等の遊技機が設置された遊技場において、台間機と呼ばれる装置が広く普及している。台間機は、遊技機に併設され、遊技者の操作に応じて対応する遊技機に遊技媒体（パチンコ玉やメダル等）の排出等を行うものである。パチンコ機の場合、台間機は対応する遊技機の左側（対応する遊技機の遊技者より見て左側）に配置される。
【０００３】
台間機にも様々な種類のものが存在し、台間機本体から前方に突出した表示部を備えるものがある。例えば、特許文献１には、右側の面に画面を有する表示部が、台間機本体に回転可能に軸支された構成の台間機が記載されている。これによれば、表示部を左方向（対応する遊技機の遊技者より見て左方向）に回転させて、画面を遊技者に向けることができる。
【０００４】
また、特許文献１には、台間機本体から前方に突出形成されたフレームの先端側に、表示部が回転可能に軸支された構成の台間機も記載されている。これによれば、表示部の台間機本体側を手前に引き出して、画面を遊技者に向けることができる。なお、以下においては、特に断らない限り、対応する遊技機の遊技者を基準として左右を表現する。また、特に断らない限り、遊技者とは、対応する遊技機の遊技者を指すものとする。
【０００５】
さらに、今日、市場には、表示部に代えて、タッチパネルからなる表示操作部を備えた台間機も登場している。
【０００６】
一方、近年、遊技場においても分煙化が進んでおり、分煙対策の一つとして、隣り合う遊技機の台間に、分煙ボード（分煙パネル）と称される仕切り板を設けることが行われている。例えば、特許文献２には、台間に取り付けベースを配置し、この取り付けベースの内部の上下に取り付けベースから引出可能な一対のアームを配置し、この一対のアームの間に仕切り板が固定された分煙ボードが記載されている。
【先行技術文献】
【特許文献】
【０００７】
【特許文献１】特開２００４−８１６０９号公報（２００４年３月１８日公開）
【特許文献２】特開２０１３−２２０８４号公報（２０１３年２月４日公開）
【発明の概要】
【発明が解決しようとする課題】
【０００８】
ところで、最近では、演出やデザインにこだわった様々な遊技機が開発されており、遊技機の前面の扉の外縁部や遊技機本体の前面（正面）外縁部分に、装飾用の突起物が設けられている。
【０００９】
しかしながら、このような突起物は、台間のスペース（台間スペースとも称する）が狭い場合や台間に分煙ボードが設置されている場合に、台間機に備えられた表示操作部の視認性および操作性を阻害する恐れがある。これについて、図面を用いて詳しく説明する。
【００１０】
図１４は、前方に突出した表示操作部１０３を左方向に回転させることができる従来の台間機１０１の斜視図である。図１４に示すように、台間機１０１において、表示操作部１０３は台間機本体１０２に回転可能に軸支されており、左方向に回転させて画面１０３ａを遊技者に向けることができる。なお、図中、参照符号１０４にて示すものは、対応する遊技機に遊技媒体であるパチンコ玉を供給するノズルである。
【００１１】
図１５は、上記従来の台間機１０１およびその周辺を示す上面図であり、（ａ）は台間機１０１の左側に十分な空きスペースがある場合を示し、（ｂ）は台間機１０１の左側に分煙ボード１１０が配設された場合を示し、（ｃ）は台間機１０１の左側に空きスペースがない場合を示す。
【００１２】
図１５の（ａ）に示すように、隣り合う遊技機１００Ｒ・１００Ｌの台間のスペースが広く、台間機１０１の左側に十分な空きスペースがある場合には、表示操作部１０３を十分に回転させて、画面１０３ａを対応する遊技機１００Ｒの遊技者に向けることができる。この場合、表示操作部１０３の右側に位置する突起物１０５Ｒに対して画面１０３ａのなす角度（以下、画面１０３ａの開き角度と称する）が広くなり、突起物１０５Ｒと画面１０３ａとの間を広く確保できる。これにより、突起物１０５Ｒがよほど大きくない限り、遊技者の目線は遮られず、また、画面１０３ａへの操作も阻害されない。なお、たとえ突起物１０５Ｒが目線を遮るほど大きかったとしても、突起物１０５Ｒを超えて画面１０３ａを覗くことで、表示を確認することができる。
【００１３】
これに対し、図１５の（ｂ）に示すように、分煙ボード１１０が設置されると、分煙ボード１１０が干渉して表示操作部１０３を十分に回転させることができなくなる。この場合、画面１０３ａの開き角度が小さくなり、突起物１０５Ｒと画面１０３ａとの間が狭くなる。そのため、突起物１０５Ｒがそれほど大きくなくても、視認性が低下する。また、突起物１０５Ｒと画面１０３ａとの間が狭くなることで、画面１０３ａに触れ難くなり、操作性が低下する。
【００１４】
さらに、図１５の（ｃ）に示すように、台間スペースが狭く、台間機１０１の左側に殆ど空きスペースがない場合には、表示操作部１０３の左側に突起物１０５Ｌが存在すると、これが干渉して表示操作部１０３を殆ど回転させることができなくなる。この場合、画面１０３ａの開き角度がさらに小さくなり、突起物１０５Ｒと画面１０３ａとの間が極めて狭くなる。そのため、突起物１０５Ｒを超えて画面１０３ａを覗いたとしても、画面１０３ａを横方向から見ることとなり、視認性が著しく低下する。また、突起物１０５Ｒと画面１０３ａとの間が極めて狭くなると、画面に触れることも困難となり、操作性も著しく低下する。
【００１５】
なお、表示操作部１０３をさらに前方に突出させることで、視認性および操作性の上記した問題は低減あるいは解消される。しかしながら、表示操作部１０３をさらに突出させると、台間機１０１の左側に位置する遊技機１００Ｒの前面の扉を開いた際に、表示操作部１０３と干渉してしまい、扉の開く範囲が狭くなってしまう。突起物１０５Ｒが設けられた遊技機１００Ｒでは、扉の開く範囲はより一層狭くなる。
【００１６】
また、台間機本体から前方に突出形成されたフレームの先端側に、表示操作部が回転可能に軸支された構成の台間機においては、表示操作部の右側に突起物が存在すると、表示操作部を手前に引き出すこと自体が困難になる。
【００１７】
本発明は、上記問題に鑑みてなされたものであり、その目的は、台間スペースが狭くても表示操作部に対する視認性および操作性を確保でき、かつ、台間スペースが広い場合には、台間スペースが狭い場合よりも表示操作部に対する視認性および操作性の向上が図れる台間機を実現することにある。
【課題を解決するための手段】
【００１８】
上記課題を解決するために、本発明に係る台間機は、遊技機に併設され、前面に表示操作部を備えた台間機であって、前記表示操作部を前記前面に対して５°〜６０°の角度で傾斜させて支持すると共に、前記表示操作部を傾斜に沿って前記前面から離れる方向にスライド移動させるスライド支持機構を備え、前記表示操作部は、スライド移動前の基準位置で当該台間機本体の横幅内に納まっていることを特徴とする。
【００１９】
上記構成によれば、表示操作部は、台間機本体の前面に対して５°〜６０°の角度で傾斜させて支持されているので、スライド移動前の基準位置でも、表示操作部が遊技者（対応する遊技機の遊技者）の方に向き、視認性が向上する。また、表示操作部を、基準位置で台間機本体の横幅内に納まるサイズとしているため、表示操作部は横サイズは制限されるが、表示操作部を傾斜させたことで、表示操作部の横幅を台間機本体の横幅よりも広げることができる。
【００２０】
さらに、表示操作部の画面側に遊技機の突起物が存在したとしても、表示操作部の傾斜の角度を５°〜６０°とすることで、表示操作部の開き角度（突起物に対して表示操作部の画面のなす角度）を広く確保できる。したがって、突起物にて遊技者の目線が遮られる場合でも、遊技者が突起物を超えて覗くように見ることで表示を確認でき、入力操作も阻害されない。
【００２１】
そして、台間スペースが広い場合には、表示操作部をスライド移動させることで、表示操作部が基準位置よりも前方に突出する。これにより、表示操作部の画面側に遊技機の突起物が存在したとしても、遊技者の目線が遮られ難くなり、視認性がより一層向上し、操作性も向上する。
【００２２】
このように、表示操作部を傾斜させた状態で支持すると共にスライド移動可能に構成することで、台間スペースが狭くても表示操作部に対する視認性および操作性を確保でき、かつ、台間スペースが広い場合には、表示操作部をスライド移動させることで、台間スペースが狭い場合よりも表示操作部に対する視認性および操作性の向上が図れる台間機を実現することができる。
【００２３】
本発明に係る台間機は、さらに、前記表示操作部を、前記基準位置およびスライド移動後の移動位置のそれぞれに保持する保持機構をさらに備える構成とすることもできる。
【００２４】
保持機構を設けることで、表示操作部が基準位置あるいは移動位置に確実に保持されるので、遊技者の接触などで、不用意に表示操作部の位置が変わることを防ぐことができる。
【００２５】
本発明に係る台間機は、さらに、前記スライド支持機構は、前記前面における前記表示操作部を配置する位置に設けられた、前記前面に対して５°〜６０°の角度で傾斜した傾斜板と、前記傾斜板に対する前記表示操作部のスライド移動を案内するガイド部と、前記傾斜板に形成された移動方向に延びる開口を介して、前記傾斜板の裏側より前記表示操作部を支持する支持部材と、を有する構成とすることもできる。
【００２６】
本発明に係る台間機は、さらに、前記保持機構は、前記傾斜板の裏面に、前記基準位置および前記移動位置それぞれに対応して形成された凹部と、前記支持部材に設けられ、前記表示操作部側へと常時付勢されている係合部とを、有し、前記表示操作部のスライド移動に伴って前記凹部の何れか一方に前記係合部が係合して、前記表示操作部を保持する構成とすることもできる。
【００２７】
本発明に係る台間機は、さらに、前記保持機構は、一端部が前記傾斜板に支持されると共に、他端部が前記支持部材あるいは前記表示操作部に支持されたスナップアクションバネを有し、前記スナップアクションバネは、前記表示操作部が前記基準位置および前記移動位置の中間にある状態での角度が、前記表示操作部が前記基準位置および前記移動位置の各位置にある状態での角度よりも狭くなるように配置されている構成とすることもできる。
【００２８】
本発明に係る台間機は、さらに、前記保持機構は、前記表示操作部を前記基準位置に常時付勢する第１付勢部材と、前記表示操作部の裏面に沿って配設され、前記移動位置への移動方向下流側が回動可能に軸支された係止片と、前記係止片を前記表示操作部の裏面から離れる方向に常時付勢する第２付勢部材と、を有し、前記表示操作部が前記移動位置に到達すると、前記係止片が前記第２付勢部材の付勢力にて回動し、前記係止片における前記移動位置への移動方向上流側の端面が、前記傾斜板における前記移動位置への移動方向下流側の端面と接触して、前記表示操作部を前記移動位置に保持する構成とすることもできる。
【発明の効果】
【００２９】
本発明は、表示操作部を傾斜させると共にスライド移動可能に設けることで、台間スペースが狭くても表示操作部に対する視認性および操作性を確保でき、かつ、台間スペースが広い場合には、台間スペースが狭い場合よりも表示操作部に対する視認性および操作性の向上が図れる台間機を実現することができるという効果を奏する。
【図面の簡単な説明】
【００３０】
【図１】本実施形態に係る台間機を含む遊技島を示す図であり、（ａ）は遊技島の斜視図、（ｂ）は遊技島の正面図である。
【図２】上記台間機を示す図であり、（ａ）は台間機の斜視図、（ｂ）は台間機の正面図である。
【図３】上記台間機の表示操作部の変位位置を示す斜視図であり、（ａ）は表示操作部が基準位置にある状態を示し、（ｂ）は表示操作部が移動位置にある状態を示す。
【図４】上記台間機の表示操作部の斜視角度を示す図である。
【図５】上記台間機およびその周辺を示す上面図であり、（ａ）は台間機の左側に十分な空きスペースがある場合を示し、（ｂ）は台間機の左側に分煙ボードが配設された場合を示し、（ｃ）は台間機の左側に空きスペースがない場合を示す。
【図６】上記台間機１の表示操作部のスライド支持機構および保持機構の１例を示す図であり、台間機本体の前面を裏面側から見た斜視図である。
【図７】上記スライド支持機構および保持機構における位置保持方法を示す図で、（ａ）は台間機本体の前面の裏面図、（ｂ）は（ａ）のＡ−Ａ矢視断面図であって表示操作部が基準位置にある状態を示し、（ｃ）は（ａ）のＡ−Ａ矢視断面図であって移動位置にある状態を示す。
【図８】上記スライド機構における別の保持機構の位置保持方法を示す図で、（ａ）は台間機本体の前面の裏面図、（ｂ）は（ａ）のＢ−Ｂ矢視断面図であって表示操作部が基準位置にある状態を示し、（ｃ）は（ａ）のＢ−Ｂ矢視断面図であって移動位置にある状態を示す。
【図９】上記スライド機構における別の保持機構の位置保持方法を示す図で、（ａ）〜（ｃ）は共に台間機本体の前面の裏面図であり、（ａ）は表示操作部が基準位置にある状態を示し、（ｂ）は基準位置と移動位置の間にある状態を示し、（ｃ）は移動位置にある状態を示す。
【図１０】上記スライド機構における別の保持機構の位置保持方法を示す図で、（ａ）は表示操作部が基準位置にある状態の台間機本体の前面の裏面図であり、（ｂ）は（ａ）のＣ−Ｃ矢視断面図である。
【図１１】上記スライド機構における別の保持機構の位置保持方法を示す図で、（ａ）は表示操作部が移動位置にある状態の台間機本体の前面の裏面図であり、（ｂ）は（ａ）のＤ−Ｄ矢視断面図である。
【図１２】上記表示操作部が基準位置にある状態の位置保持部分の要部を示す斜視図で、ある。
【図１３】上記表示操作部が移動位置にある状態の位置保持部分の要部を示す斜視図である。
【図１４】前方に突出した表示操作部を左方向に回転させることができる従来の台間機の斜視図である。
【図１５】上記従来の台間機およびその周辺を示す上面図であり、（ａ）は台間機の左側に十分な空きスペースがある場合を示し、（ｂ）は台間機の左側に分煙ボードが配設された場合を示し、（ｃ）は台間機の左側に空きスペースがない場合を示す。
【発明を実施するための形態】
【００３１】
［全体構成］
図１は、本実施形態に係る台間機１を含む遊技島を示す図であり、（ａ）は遊技島の斜視図、（ｂ）は遊技島の正面図である。図１の（ａ）および（ｂ）に示すように、遊技島は、パチンコ機である複数の遊技機２と複数の台間機１とを備え、遊技機２と台間機１とは一対一で対応している。具体的には、遊技機２とその左横に配設される台間機１とが対応している。
【００３２】
遊技者は台間機１に現金またはカードを挿入して遊技媒体（いわゆるパチンコ玉、以下、単に「玉」とも呼ぶ）を借り受けて、遊技機２で遊技を行う。遊技媒体は、台間機１のノズル部１６から遊技機２へと供給される。
【００３３】
台間機１におけるノズル部１６の上方には、遊技者に対して各種の情報を伝達し、また、遊技者からの指示入力を受け付ける表示操作部１１が設けられている。表示操作部１１は、対応する遊技機２を遊技している遊技者から見て左側前方に位置している。
【００３４】
また、遊技機２には、前面の扉の外縁部や本体の前面（正面）外縁部分に、装飾用の突起物４が設けられている。
【００３５】
［台間機１の構成］
図２は、台間機１を示す図であり、（ａ）は台間機１の斜視図、（ｂ）は台間機１の正面図である。図２の（ａ）および（ｂ）に示すように、台間機１は、台間機本体１５の前面（正面）に、上から順に、発光部１２、紙幣受付部１３、表示操作部１１、払出ボタン１４、ノズル部１６、およびカード受付部１７を備えている。なお、この順序は必須ではない。
【００３６】
台間機１は、遊技者による紙幣投入等の入金操作を紙幣受付部１３において受け付け、残高情報が記録されたＩＣカード等のカード型の記憶媒体（以下、単にカードとも呼ぶ）を遊技者へ販売する。遊技者は、紙幣受付部１３への紙幣投入後、または、購入したカードを台間機１のカード受付部１７に挿入した後、表示操作部１１の操作、払出ボタン１４の押下、遊技機２の玉貸ボタンの押下等により遊技媒体を借り受け、遊技機２にて遊技を行う。
【００３７】
発光部１２は、遊技媒体を借り受け等のイベント発生時に発光等することにより、その内容を遊技者および遊技場係員に通知する。表示操作部１１は、台間機１における各種状態を表示すると共に、台間機１に対する各種操作を受け付ける。詳細については後述するが、本実施形態に係る台間機１においては、表示操作部１１が傾斜して配設され、かつスライド移動可能に設けられている。
【００３８】
ノズル部１６は、遊技機２に遊技媒体を排出するものである。ノズル部１６は、台間機１本体に対して、上下方向を軸として軸支されている。これにより、ノズル部１６は、左右方向（水平方向）に回動可能である。遊技機２の前面を開ける等の作業時には、ノズル部１６を遊技機２の前面と干渉しない位置に回動させることができる。
【００３９】
［台間機１の要部構成］
次に、図３、図４を参照して、台間機１の表示操作部１１について説明する。図３は、台間機１の表示操作部１１の変位位置を示す斜視図であり、（ａ）は表示操作部１１が基準位置にある状態を示し、（ｂ）は表示操作部１１が移動位置にある状態を示す。また、図４は、台間機１の表示操作部１１の斜視角度を示す図である。
【００４０】
図３の（ａ）に示すように、表示操作部１１は、基準位置にある状態で、画面１１ａが斜め右を向くように、台間機本体１５の前面１５ａに対して５°〜６０°の角度で傾斜して配設されている。換言すると、表示操作部１１は、図４に示す、台間機本体１５の前面１５ａに対して表示操作部１１の画面１１ａのなす角度θ１が、５°〜６０°の範囲で配置されている。また、表示操作部１１は、基準位置にある状態で、台間機本体１５の横幅内に納まっている。
【００４１】
そして、図３の（ｂ）に示すように、表示操作部１１は、画面１１ａの傾斜に沿って前面１５ａから離れる方向である斜め左方向にスライド移動可能に設けられており、基準位置と移動位置とに変位可能に設けられている。
【００４２】
このような構成とすることで、表示操作部１１は、基準位置にある状態でも、画面１１ａが遊技者（対応する遊技機２の遊技者）の方を向くので、視認性が向上する。また、表示操作部１１を傾斜させたことで、台間機本体１５の横幅よりも表示操作部１１の横幅が広くなり、画面１１ａの横幅を大きくできる。
【００４３】
さらに、表示操作部１１の右側近傍に突起物４（図１参照）が存在したとしても、画面１１ａの開き角度（突起物４に対して画面１１ａのなす角度）を広く確保できるので、目線が遮られる場合は、突起物４を超えて覗くことで表示を確認でき、入力操作も阻害されない。
【００４４】
そして、移動位置にある状態では、表示操作部１１が基準位置よりも前方に突出するため、表示操作部１１の右側近傍に突起物４が存在していたとしても、遊技者の目線が遮られ難くなり、視認性がより一層向上し、操作性も向上する。
【００４５】
図５は、台間機１およびその周辺を示す上面図であり、（ａ）は台間機１の左側に十分な空きスペースがある場合を示し、（ｂ）は台間機１の左側に分煙ボード３０が配設された場合を示し、（ｃ）は台間機１の左側に空きスペースがない場合を示す。
【００４６】
図５の（ｃ）に示すように、隣り合う遊技機２Ｒ・２Ｌの台間のスペースが狭くても、表示操作部１１が５°〜６０°で傾斜しているので、たとえ表示操作部１１の左右両側の近傍に突起物４Ｒ・４Ｌが存在したとしても、表示操作部１１に対する視認性および操作性を確保することができる。詳細には、右側近傍の突起物４Ｒにて遊技者の目線が遮られたとしても、突起物４Ｒを超えて表示操作部を覗き見ることで、表示を視認することができる。また、突起物４Ｒと画面１１ａの間に、指の挿入に支障がない程度のスペースが確保されているので、表示操作部１１に対する操作も問題なく行うことができる。
【００４７】
そして、図５の（ａ）に示すように、隣り合う遊技機２Ｒ・２Ｌの台間のスペースが広く、台間機１の左側に十分な空きスペースがある場合には、表示操作部１１をスライド移動させて、基準位置から移動位置に切り換えることで、表示操作部１１に対する視認性および操作性が、台間スペースが狭い場合よりも向上する。詳細には、基準位置では、右側近傍の突起物４Ｒに遮られて視認できなかった場合でも、移動位置では遮られず、視認可能になることがある。また、突起物４Ｒと画面１１ａの間により広いスペースが確保されるので、表示操作部１１に対する操作がより一層行い易くなる。
【００４８】
また、図５の（ｂ）に示すように、分煙ボード３０が設置されて、隣り合う遊技機２Ｒ・２Ｌの台間のスペースが狭くなったとしても、表示操作部１１が台間機本体１５から横方向に飛び出る寸法が小さいため、多くの場合に、分煙ボード３０までの狭いスペースを利用して表示操作部１１を移動位置へと移動できる。
【００４９】
［表示操作部１１のスライド支持機構および保持機構］
以下、上述のように表示操作部１１を傾斜させて支持すると共に傾斜に沿ってスライド移動させるスライド支持機構、および表示操作部１１を基準位置および移動位置のそれぞれに保持する保持機構について説明する。
【００５０】
（スライド支持機構および保持機構の例１）
図６は、台間機１の表示操作部１１のスライド支持機構および保持機構の１例を示す図であり、台間機本体１５の前面１５ａを裏面側から見た斜視図である。図７は、上記スライド支持機構および保持機構における位置保持方法を示す図で、（ａ）は台間機本体１５の前面１５ａの裏面図、（ｂ）は（ａ）のＡ−Ａ矢視断面図であって表示操作部１１が基準位置にある状態を示し、（ｃ）は（ａ）のＡ−Ａ矢視断面図であって移動位置にある状態を示す。
【００５１】
図６および図７の（ａ）〜（ｃ）に示すように、台間機本体１５の前面１５ａは、表示操作部１１と対応する位置に、断面Ｖ字状に折曲された前パネル（傾斜板）２１を有する。前パネル２１を有することで、前面１５ａにおける表示操作部１１を設ける部分は、その裏面より見て右側（遊技者から見て左側）が突出した傾斜面となる。この傾斜面は、前面１５ａに対して５°〜６０°の角度で傾斜している。表示操作部１１は、このような前パネル２１の傾斜面に沿って、傾斜している方向にスライド可能に設けられている。
【００５２】
表示操作部１１は、水平方向の断面が略平行四辺形をなし、内部にタッチパネル２８を有し、裏面が裏側ケース２９にて覆われている。表示操作部１１は、前パネル２１の裏面側から保持器具（支持部材）２２にネジ（支持部材）２６にて締結されている。
【００５３】
前パネル２１の裏面には、水平方向に延びる２本のリブ２３・２３が形成され、保持器具２２は、リブ２３・２３に沿ってスライド可能に設けられている。また、２本のリブ２３・２３の間には、表示操作部１１のスライド移動に伴ってネジ２６が移動する開口２１ａが形成されている。
【００５４】
これら保持器具２２と２本のリブ２３・２３とが、前パネル２１に対する表示操作部１１のスライド移動を案内するガイド部として機能する。そして、これら前パネル２１、保持器具２２に、ネジ２６、リブ２３・２３等により、スライド支持機構が構成されている。
【００５５】
また、前パネル２１における２本のリブ２３・２３の上下には、基準位置および移動位置に対応して、表示操作部１１を基準位置で保持するための凹部２４・２４および表示操作部１１を移動位置で保持するための凹部２５・２５が形成されている。また、保持器具２２には、リブ２３・２３の上下を摺動する部分に係止部２２ａ・２２ａがスナップフィット構造で設けられている。係止部２２ａ・２２ａは、表示操作部１１側へと常時付勢されている。
【００５６】
表示操作部１１のスライド移動に伴って保持器具２２がリブ２３・２３に沿って移動することで、係止部２２ａ・２２ａが、凹部２４・２４あるいは凹部２５・２５の何れか一方に係合する。基準位置では、係止部２２ａ・２２ａが凹部２４・２４に係合して、表示操作部１１を基準位置に保持する。一方、移動位置では、係止部２２ａ・２２ａが凹部２５・２５に係合して、表示操作部１１を移動位置に保持する。これら係止部２２ａ・２２ａ、凹部２４・２４、凹部２５・２５等により、保持機構が構成されている。
【００５７】
（保持機構の例２）
図８は、上記スライド機構における別の保持機構の位置保持方法を示す図で、（ａ）は台間機本体１５の前面１５ａの裏面図、（ｂ）は（ａ）のＢ−Ｂ矢視断面図であって表示操作部１１が基準位置にある状態を示し、（ｃ）は（ａ）のＢ−Ｂ矢視断面図であって移動位置にある状態を示す。
【００５８】
前記保持器具２２に代えて、保持器具４１を有する。保持器具４１は、スナップフィット構造による係止部２２ａ・２２ａに代えて、リブ２３・２３の上下を摺動する部分に設けられたバネ保持部４１ａ・４１ａに、圧縮バネ４２と弾丸型ストッパ５１とが保持されている。弾丸型ストッパ５１は、圧縮バネ４２の付勢力にて、表示操作部１１側へと常時付勢されている。
【００５９】
表示操作部１１のスライド移動に伴って保持器具４１がリブ２３・２３に沿って移動することで、バネ保持部４１ａ・４１ａにおける各弾丸型ストッパ５１が、凹部２４・２４あるいは凹部２５・２５の何れか一方に係合する。基準位置では、各弾丸型ストッパ５１が凹部２４・２４に係合して、表示操作部１１を基準位置に保持する。一方、移動位置では、各弾丸型ストッパ５１が凹部２５・２５に係合して、表示操作部１１を移動位置に保持する。
【００６０】
バネ保持部４１ａ・４１ａに設けられた圧縮バネ４２および弾丸型ストッパ５１が係合部を構成し、バネ保持部４１ａ・４１ａに設けられた圧縮バネ４２および弾丸型ストッパ５１、凹部２４・２４、凹部２５・２５等により、保持機構が構成されている。
【００６１】
（保持機構の例３）
図９は、上記スライド機構における別の保持機構の位置固定方法を示す図で、（ａ）〜（ｃ）は共に台間機本体１５の前面１５ａの裏面図であり、（ａ）は表示操作部１１が基準位置にある状態を示し、（ｂ）は基準位置と移動位置の中立点にある状態を示し、（ｃ）は移動位置にある状態を示す。
【００６２】
前記保持器具２２に代えて、係止部２２ａ・２２ａが設けられていない保持器具３２を備える。前パネル２１にも、凹部２４・２４、凹部２５・２５は形成されていない。保持機構は、スナップアクションバネ４４から構成されている。
【００６３】
スナップアクションバネ４４は、一端部が前パネル２１に支持されると共に、他端部が支持部材であるネジ２６に支持されている。なお、他端部は、ネジ２６に限らず表示操作部１１に支持されていればよい。
【００６４】
図９の（ａ）〜（ｃ）に示すよう、スナップアクションバネ４４は、表示操作部１１が基準位置および移動位置の中間にある状態での角度が、表示操作部１１が基準位置および移動位置の各位置にある状態での角度よりも狭くなるように配置されている。具体的には、スナップアクションバネ４４は、表示操作部１１が基準位置および移動位置の中立点にある状態で角度が最も小さくなるように配置されている。
【００６５】
上記構成によれば、中立点を境に、表示操作部１１が基準位置側にある場合は、基準位置に戻る方向に力が発生し、移動位置側にある場合は、フルストローク、スライド移動する方向に力が発生する。したがって、表示操作部１１が途中の位置で保持されることがなく、表示操作部１１を基準位置あるいは移動位置へと付勢して保持することができる。
【００６６】
（保持機構の例４）
図１０、図１１は、上記スライド機構における別の保持機構の位置保持方法を示す図で、図１０の（ａ）は表示操作部１１が基準位置にある状態の台間機本体１５の前面１５ａの裏面図であり、（ｂ）は（ａ）のＣ−Ｃ矢視断面図である。また、図１１の（ａ）は表示操作部１１が移動位置にある状態の台間機本体１５の前面１５ａの裏面図であり、（ｂ）は（ａ）のＤ−Ｄ矢視断面図である。
【００６７】
前記保持器具２２に代えて、係止部２２ａ・２２ａが設けられていない保持器具４６を備える。前パネル２１にも、凹部２４・２４、凹部２５・２５は形成されていない。
【００６８】
前パネル２１には開口２１ｃが形成され、該開口２１ｃを介して、一端部が前パネル２１に支持された復帰バネ４７の他端部が、表示操作部１１に支持されている。復帰バネ４７は、表示操作部１１を基準位置に常時付勢するものである。また、前パネル２１におけるＶ字の角部には、切欠き２１ｂが形成されている。
【００６９】
一方、表示操作部１１には、その裏面に沿って配設され、移動位置側（移動位置への移動方向下流側）が上下方向に延びる軸４９にて回動可能に軸支されたストッパプレート（係止片）４８が設けられている。ストッパプレート４８におけるタッチパネル２８との対向面側には、バネ保持部４８ａが設けられ、ストッパバネ（第２付勢部材）５０が保持されている。ストッパプレート４８は、ストッパバネ５０の付勢力にて、表示操作部１１の裏面（タッチパネル２８）から離れる方向に常時付勢されている。
【００７０】
図１２は、表示操作部１１が基準位置にある状態の位置保持部分の要部を示す斜視図であり、図１３は、表示操作部１１が移動位置にある状態の位置保持部分の要部を示す斜視図である。
【００７１】
図１２、図１３に示すように、上記構成によれば、表示操作部１１が移動位置に到達すると、ストッパプレート４８がストッパバネ５０の付勢力にて表示操作部１１の裏面から離れる方向に回動し、ストッパプレート４８における基準位置側の端面（移動位置への移動方向上流側の端面）が、前パネル２１における切欠き２１ｂに引っ掛かる。これにより、表示操作部１１がフルストローク、スライドさせた移動位置に保持される。表示操作部１１を基準位置に戻す際は、ストッパプレート４８を表示操作部１１側に押し、引っ掛けを外すことで、表示操作部１１は復帰バネ４７の力で基準位置まで戻る。
【００７２】
なお、前パネル２１における切欠き２１ｂは必ずしも設ける必要はなく、ストッパプレート４８における基準位置側の端面（移動位置への移動方向上流側の端面）を、前パネル２１における移動位置側の端面（移動位置への移動方向下流側の端面）に接触させて、表示操作部１１を移動位置に保持できればよい。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７４】
１  台間機
２、２Ｒ、２Ｌ  遊技機
４、４Ｒ、４Ｌ  突起物
１１  表示操作部
１１ａ  画面
１５  台間機本体
１５ａ  前面
２１  前パネル（スライド支持機構、傾斜板、）
２１ａ  開口
２２、３２、４１、４６  保持器具（支持部材）
２２ａ  係止部（保持機構）
２３  リブ（スライド支持機構、ガイド部）
２４、２５  凹部（保持機構）
２６  ネジ（支持部材）
３０  分煙ボード
４１ａ、４８ａ  バネ保持部（保持機構、係合部）
４４  スナップアクションバネ（保持機構）
４７  復帰バネ（保持機構、第１付勢部材）
４８  ストッパプレート（保持機構、係止片）
５０  ストッパバネ（保持機構、第２付勢部材）
５１  弾丸型ストッパ（保持機構、係合部）
【図１】
0006390539.tif 000002
【図２】
0006390539.tif 000003
【図３】
0006390539.tif 000004
【図４】
0006390539.tif 000005
【図５】
0006390539.tif 000006
【図６】
0006390539.tif 000007
【図７】
0006390539.tif 000008
【図８】
0006390539.tif 000009
【図９】
0006390539.tif 000010
【図１０】
0006390539.tif 000011
【図１１】
0006390539.tif 000012
【図１２】
0006390539.tif 000013
【図１３】
0006390539.tif 000014
【図１４】
0006390539.tif 000015
【図１５】
0006390539.tif 000016